(57)【要約】【課題】  従来とは異なる遮光を行うことができるうえ、スクリーンによって窓に模様を形成できる遮光スクリーン装置を提供する。【解決手段】  本発明の遮光スクリーン装置は、四角形の窓３に配置しており、扇形のスクリーン１０と、スクリーン１０を巻き取る円錐台状のドラム１１と、スクリーン１０をドラム１１から繰り出す駆動機構１２を有する。駆動機構１２は、スクリーン１０に取り付けた支持バー１６と、窓３の隣り合う辺間に掛け渡している円弧状のガイドレール１８と、ガイドレール１８を介して支持バー１６に連結するギヤードケーブル１７と、ギヤードケーブル１７を駆動するギヤードモータ２０とを有する。支持バー１６の一端はスクリーン１０の周縁を形成する円弧の中心点Ｏまで延びて、その中心点Ｏの位置で揺動自在に支持される。ギヤードモータ２０によってギヤードケーブル１７が駆動されることで、スクリーン１０がドラム１１から繰り出される。【選択図】  図１
2012031721.tif 000002
【特許請求の範囲】
【請求項１】
建物に設けている四角形状の窓（３）に配置する遮光スクリーン装置であって、
扇形のスクリーン（１０）と、そのスクリーン（１０）を巻き取る円錐台形状のドラム（１１）と、スクリーン（１０）をドラム（１１）から繰り出させるための駆動機構（１２）とを有しており、
駆動機構（１２）は、スクリーン（１０）の遊端に取り付けている支持バー（１６）と、窓（３）の四隅のいずれかにおいて隣り合う辺間に掛け渡している円弧形状のガイドレール（１８）と、そのガイドレール（１８）を介して支持バー（１６）に一端を連結しているケーブル（１７）と、ケーブル（１７）を駆動する駆動手段とを有しており、
支持バー（１６）は、その一端がスクリーン（１０）の周縁を形成する円弧の中心点（Ｏ）の位置まで延びていて、当該一端がスクリーン（１０）の前記中心点（Ｏ）の位置で揺動自在に支持されており、
ガイドレール（１８）は、前記中心点（Ｏ）を中心とする仮想円に沿って配置しており、
ドラム（１１）は、小径側がスクリーン（１０）の前記中心点（Ｏ）側に位置しており、
駆動手段によってケーブル（１７）が駆動されることにより、スクリーン（１０）がドラム（１１）から扇状に繰り出されて窓（３）を覆うことを特徴とする遮光スクリーン装置。
【請求項２】
建物に設けている四角形状の窓（３）に配置する遮光スクリーン装置であって、
複数の扇形のスクリーン（１０）と、各スクリーン（１０）をそれぞれ巻き取る複数の円錐台形状のドラム（１１）と、スクリーン（１０）をドラム（１１）から繰り出させるための駆動機構（１２）とを有しており、
前記ドラム（１１）は、窓（３）の上下左右の各辺のうち、少なくとも二辺に配置しており、
駆動機構（１２）は、各スクリーン（１０）の遊端にそれぞれ取り付けている支持バー（１６）と、ドラム（１１）を配置した前記窓（３）の辺およびその辺に隣り合わせる辺間に掛け渡している複数の円弧形状のガイドレール（１８）と、各ガイドレール（１８）を介して各支持バー（１６）に一端をそれぞれ連結している複数本のケーブル（１７）と、各ケーブル（１７）を駆動するための駆動手段とを有しており、
各支持バー（１６）は、その一端が対応するスクリーン（１０）の周縁を形成する円弧の中心点（Ｏ）の位置まで延びていて、当該一端が対応するスクリーン（１０）の前記中心点（Ｏ）の位置で揺動自在に支持されており、
各ガイドレール（１８）は、対応するスクリーン（１０）の前記中心点（Ｏ）を中心とする仮想円に沿って配置しており、
各ドラム（１１）は、小径側が対応するスクリーン（１０）の前記中心点（Ｏ）側に位置しており、
駆動手段によってケーブル（１７）が駆動されることにより、当該ケーブル（１７）に連結されているスクリーン（１０）がドラム（１１）から扇状に繰り出されて窓（３）を覆うことを特徴とする遮光スクリーン装置。
【請求項３】
複数のドラム（１１）からスクリーン（１０）がそれぞれ繰り出されたときには、それらのスクリーン（１０）の一部が重なり合うことを特徴とする請求項２記載の遮光スクリーン装置。
【請求項４】
ドラム（１１）は、窓（３）の上下左右の各辺のうち、少なくとも対峙する二辺に配置しており、
その対峙する二辺に配置しているドラム（１１）からスクリーン（１０）が繰り出されたときには、それらのスクリーン（１０）の支持バー（１６）どうしが突き合わされた状態になることを特徴とする請求項２または３記載の遮光スクリーン装置。
【請求項５】
ガイドレール（１８）には、そのガイドレール（１８）に沿って延びる開口（２２）を形成しており、
ケーブル（１７）の一端には、連結ブロック（２３）を連結しており、
その連結ブロック（２３）には、ガイドレール（１８）の開口（２２）から突出するピン（２４）を設けており、
支持バー（１６）には、当該支持バー（１６）の長さ方向に延びる長孔（２５）を形成しており、
その長孔（２５）に、連結ブロック（２３）のピン（２４）が支持バー（１６）の長さ方向に相対移動可能に貫通していることで、ケーブル（１７）が連結ブロック（２３）を介して支持バー（１６）に連結されていることを特徴とする請求項１乃至４のいずれかに記載の遮光スクリーン装置。
【請求項６】
ケーブル（１７）と支持バー（１６）とを連結するための連結機構（３０）を有しており、
その連結機構（３０）は、ケーブル（１７）の一端を連結していてガイドレール（１８）に沿って移動可能なケーブルブロック（３１）と、一端をケーブルブロック（３１）に揺動自在に取り付けているとともに他端を支持バー（１６）に揺動自在に取り付けているロッド（３３）とを有していることを特徴とする請求項１乃至４のいずれかに記載の遮光スクリーン装置。
【請求項７】
スクリーン（１０）は、その径方向に折り目（９）を形成することで、ひだ状に折り曲げており、
その折り目（９）は、スクリーン（１０）全体に亘って多数形成していることを特徴とする請求項１乃至６のいずれかに記載の遮光スクリーン装置。
【請求項８】
スクリーン（１０）の折り目（９）には、スクリーン（１０）の径方向に延びる補強芯材（１５）を配置していることを特徴とする請求項７記載の遮光スクリーン装置。
【請求項９】
ケーブル（１７）は、ギヤードケーブルからなり、
そのギヤードケーブル（１７）に噛合するスプロケット（１９）が、駆動手段としてのモータ（２０）に連結していることで、ギヤードケーブル（１７）がモータ（２０）によって駆動されることを特徴とする請求項１乃至８のいずれかに記載の遮光スクリーン装置。
【発明の詳細な説明】
【技術分野】
【０００１】
本発明は、住宅やオフィスビルなどの建物の窓に設けられて、日光などの外光や内部の光を遮る（遮光）ために使用される遮光スクリーン装置に関するものである。
【背景技術】
【０００２】
前記建物の窓にあっては、特許文献１や特許文献２に示すように、当該窓にスクリーン（カーテンなどを含む）を配置し、そのスクリーンを開くことで採光し、また閉じることで遮光している。
【先行技術文献】
【特許文献】
【０００３】
【特許文献１】実開平３−２８２９６号公報
【特許文献２】実開平６−３２６９２号公報
【発明の概要】
【発明が解決しようとする課題】
【０００４】
特許文献１や特許文献２に記載のものにあっては、スクリーンは上下方向に動くだけである。そのため、例えば窓の上下左右の端部のみ遮光したい場合に対応できないといった問題がある。また、スクリーンを建物の意匠に利用したい場合もあるが、スクリーンが上下方向に単純に動くだけのために複雑な意匠を構成できないといった問題もある。
【０００５】
本発明は、かかる不都合を解決することを目的とするものであり、従来のスクリーンとは異なる遮光を行うことができるうえ、そのスクリーンによって窓に模様を形成することができる遮光スクリーン装置を提供することにある。
【課題を解決するための手段】
【０００６】
本発明は、前記不都合を解決するものである。すなわち本発明は、建物に設けている四角形状の窓３に配置する遮光スクリーン装置であって、扇形のスクリーン１０と、そのスクリーン１０を巻き取る円錐台形状のドラム１１と、スクリーン１０をドラム１１から繰り出させるための駆動機構１２とを有しており、駆動機構１２は、スクリーン１０の遊端に取り付けている支持バー１６と、窓３の四隅のいずれかにおいて隣り合う辺間に掛け渡している円弧形状のガイドレール１８と、そのガイドレール１８を介して支持バー１６に一端を連結しているケーブル１７と、ケーブル１７を駆動する駆動手段とを有しており、支持バー１６は、その一端がスクリーン１０の周縁を形成する円弧の中心点Ｏの位置まで延びていて、当該一端がスクリーン１０の前記中心点Ｏの位置で揺動自在に支持されており、ガイドレール１８は、前記中心点Ｏを中心とする仮想円に沿って配置しており、ドラム１１は、小径側がスクリーン１０の前記中心点Ｏ側に位置しており、駆動手段によってケーブル１７が駆動されることにより、スクリーン１０がドラム１１から扇状に繰り出されて窓３を覆うことを特徴とする。ここでの駆動手段は、手動式である場合と、モータである場合などが含まれる。
【０００７】
詳しくは、複数の扇形のスクリーン１０と、各スクリーン１０をそれぞれ巻き取る複数の円錐台形状のドラム１１と、スクリーン１０をドラム１１から繰り出させるための駆動機構１２とを有しており、ドラム１１は、窓３の上下左右の各辺のうち、少なくとも二辺に配置しており、駆動機構１２は、各スクリーン１０の遊端にそれぞれ取り付けている支持バー１６と、ドラム１１を配置した窓３の辺およびその辺に隣り合わせる辺間に掛け渡している複数の円弧形状のガイドレール１８と、各ガイドレール１８を介して各支持バー１６に一端をそれぞれ連結している複数本のケーブル１７と、各ケーブル１７を駆動するための駆動手段とを有しており、各支持バー１６は、その一端が対応するスクリーン１０の周縁を形成する円弧の中心点Ｏの位置まで延びていて、当該一端が対応するスクリーン１０の前記中心点Ｏの位置で揺動自在に支持されており、ガイドレール１８は、対応するスクリーン１０の前記中心点Ｏを中心とする仮想円に沿って配置しており、各ドラム１１は、小径側が対応するスクリーン１０の前記中心点Ｏ側に位置しており、駆動手段によってケーブル１７が駆動されることにより、当該ケーブル１７に連結されているスクリーン１０がドラム１１から扇状に繰り出されて窓３を覆うことを特徴とする。
【０００８】
ここでは、ドラム１１を窓３の上下左右のすべての辺に配置する場合（図１参照）と、ドラム１１を窓３の上下左右の各辺のうち、いずれか二辺に配置する場合（図７参照）などが該当する。またここでは、各ケーブル１７に対応させて駆動手段をそれぞれ配置する場合と、全てのケーブル１７を一つの駆動手段で駆動する場合などが該当する。駆動手段は、手動式である場合と、モータである場合などが含まれる。
【０００９】
また、複数のドラム１１からスクリーン１０がそれぞれ繰り出されたときには、それらのスクリーン１０の一部が重なり合うものとすることができる。
【００１０】
ドラム１１は、窓３の上下左右の各辺のうち、少なくとも対峙する二辺に配置しており、その対峙する二辺に配置しているドラム１１からスクリーン１０が繰り出されたときには、それらのスクリーン１０の支持バー１６どうしが突き合わされた状態になるものとすることができる。
【００１１】
ガイドレール１８には、そのガイドレール１８に沿って延びる開口２２を形成しており、ケーブル１７の一端には、連結ブロック２３を連結しており、その連結ブロック２３には、ガイドレール１８の開口２２から突出するピン２４を設けており、支持バー１６には、当該支持バー１６の長さ方向に延びる長孔２５を形成しており、その長孔２５に、連結ブロック２３のピン２４が支持バー１６の長さ方向に相対移動可能に貫通していることで、ケーブル１７が連結ブロック２３を介して支持バー１６に連結されているものとすることができる。
【００１２】
また、前記連結ブロック２３に代えて、ケーブル１７と支持バー１６とを連結するための連結機構３０を有しており、その連結機構３０が、ケーブル１７の一端を連結していてガイドレール１８に沿って移動可能なケーブルブロック３１と、一端をケーブルブロック３１に揺動自在に取り付けているとともに他端を支持バー１６に揺動自在に取り付けているロッド３３とを有しているものとすることができる。
【００１３】
また、スクリーン１０は、その径方向に折り目９を形成することで、ひだ状に折り曲げており、その折り目９は、スクリーン１０全体に亘って多数形成しているものとすることができる。
【００１４】
そのスクリーン１０の折り目９には、スクリーン１０の径方向に延びる補強芯材１５を配置しているものとすることができる。
【００１５】
また、ケーブル１７は、ギヤードケーブルからなり、そのギヤードケーブル１７に噛合するスプロケット１９が、駆動手段としてのモータ２０に連結していることで、ギヤードケーブル１７がモータ２０によって駆動されるものとすることができる。
【発明の効果】
【００１６】
本発明の遮光スクリーン装置は、駆動手段によってケーブル１７が駆動されることにより、スクリーン１０がドラム１１から扇状に繰り出されて窓３を覆うので、特許文献１や特許文献２に示す従来のスクリーンとは異なる遮光をスクリーン１０によって行うことができるうえ、その繰り出されたスクリーン１０によって窓３に模様を形成することができて、建物の意匠効果を向上させることができる。
【００１７】
ドラム１１を窓３の上下左右の各辺のうち、少なくとも二辺に配置すると、各ドラム１１から繰り出されたスクリーン１０によって窓３に複雑な模様を形成することができ、建物の意匠効果をより向上させることができる。具体的には、それらのスクリーン１０の一部を重なり合わせることで、スクリーン１０どうしの重なりによる模様を形成することができ、それによっても建物の意匠効果を向上させることができる。
【００１８】
ドラム１１を窓３の上下左右の各辺のうち、少なくとも対峙する二辺に配置しており、その対峙する二辺に配置しているドラム１１からスクリーン１０が繰り出されたときに、それらのスクリーン１０の支持バー１６どうしが突き合わされた状態になると、スクリーン１０どうしの重なりによる模様によって、建物の意匠効果を向上させることができながら、例えば二つのスクリーン１０の支持バー１６どうしが前後にずれるように構成した場合よりも、支持バー１６の配置用のスペースの前後幅を小さくできる。
【００１９】
支持バー１６の長さ方向に延びる長孔２５に、連結ブロック２３のピン２４が貫通していると、例えば製造誤差によって支持バー１６とガイドレール１８とが適正な位置関係からずれていても、連結ブロック２３のピン２４が支持バー１６の長さ方向に相対移動することで、前記ずれを吸収することができる。それによって、支持バー１６をガイドレール１８に沿って確実に移動させることができて、前述の従来のスクリーンとは異なる遮光を行うことができるうえ、その繰り出されたスクリーン１０による建物の意匠効果の向上を確実に図ることができる。
【００２０】
また、ケーブルブロック３１にケーブル１７の一端を連結し、そのケーブルブロック３１と支持バー１６とを揺動自在なロッド３３で接続していると、前述のように例えば製造誤差によって支持バー１６とガイドレール１８とが適正な位置関係からずれていても、ロッド３３の揺動によって前記ずれを吸収することができ、支持バー１６をガイドレール１８に沿って確実に移動させることができる。加えて、ロッド３３を介してケーブルブロック３１と支持バー１６とを接続するので、ロッド３３の長さを調節することで、前述の長孔２５によって前記ずれを吸収する場合よりも、大きなずれを吸収することができる。これによっても、支持バー１６をガイドレール１８に沿って確実に移動させることができ、従来のスクリーンとは異なる遮光を行うことができるうえ、その繰り出されたスクリーン１０による建物の意匠効果の向上を確実に図ることができる。
【００２１】
スクリーン１０をひだ状に折り曲げると、スクリーン１０の強度が高まってドラム１１から繰り出したスクリーン１０の周縁がよじれたりすることなどが抑えられ、そのよじれなどによって建物の意匠効果が低下することなどを防止することができる。
【００２２】
さらに、スクリーン１０の折り目９に補強芯材１５を配置すると、スクリーン１０の強度がより高まってドラム１１から繰り出したスクリーン１０の周縁がよじれたりすることなどがより確実に抑えられ、そのよじれなどによって建物の意匠効果が低下することなどをより確実に防止することができる。
【００２３】
ケーブル１７がギヤードケーブルからなり、そのギヤードケーブル１７に噛合するスプロケット１９が駆動手段としてのモータ２０に連結していると、モータ２０によってケーブル１７を確実に駆動することができる。それによって、支持バー１６をガイドレール１８に沿って確実に移動させることができて、従来のスクリーンとは異なる遮光を行うことができるうえ、その繰り出されたスクリーン１０による建物の意匠効果の向上を確実に図ることができる。
【図面の簡単な説明】
【００２４】
【図１】本発明の第１実施例の遮光スクリーン装置を配置した窓の正面図である。
【図２】遮光スクリーン装置を配置した窓の縦断側面図である。
【図３】スクリーンで窓を全閉した状態を示す正面図である。
【図４】スクリーンで窓を半開した状態を示す正面図である。
【図５】図３のＡ―Ａ線矢視断面図である。
【図６】図４のＢ―Ｂ線矢視断面図である。
【図７】本発明の第２実施例の遮光スクリーン装置を配置した窓の正面図である。
【図８】第２実施例のスクリーンで窓を全閉した状態を示す正面図である。
【図９】支持バーとギヤードケーブルの連結機構を示す正面図である。
【図１０】図９のＣ―Ｃ線矢視断面図である。
【発明を実施するための形態】
【００２５】
（第１実施例）  本発明に係る遮光スクリーン装置の第１実施例を図１ないし図６に基づいて説明する。その遮光スクリーン装置は、図２に示すように、オフィスビルなどの建物の外壁２に設けている四角形状の窓３に配置している。その窓３の四角枠形状の窓枠５には、空間６を隔てて対向する内外一対の四角形状の透明ガラス７・８を取り付けている。
【００２６】
遮光スクリーン装置は、図１に示すように、窓枠５の上下左右に配置してあって前記空間６内に進出可能な四枚の扇形（円弧状）のスクリーン１０（図３参照）と、窓枠５内に配置していて各スクリーン１０をそれぞれ巻き取る四個の円錐台形状のドラム１１と、各スクリーン１０をドラム１１からそれぞれ繰り出させるための四つの駆動機構１２とを有している。スクリーン１０、ドラム１１および駆動機構１２は、窓枠５の上下左右の各辺にそれぞれ対応させて配置している。
【００２７】
各スクリーン１０は、例えば耐紫外線性や耐熱性に優れた合成樹脂製の布からなり、径方向に折り目９（図４参照）を形成してひだ状に折り曲げている。その折り目９はスクリーン１０全体に亘って多数形成している。スクリーン１０の折り目９には、その折り目９に沿って延びる合成樹脂製または金属製の補強芯材１５を配置している。その補強芯材１５は、全ての折り目９に配置してもよいが、飛び飛びの折り目９ごとに配置してもよい（図４参照）。各ドラム１１の両端は、窓枠５内に取り付けた固定具１３・１４にそれぞれ回転自在に支持されている。各ドラム１１は、内蔵のねじりコイルバネ（図示せず）によってスクリーン１０を巻き取る方向（回転方向）に付勢されている。
【００２８】
各駆動機構１２は、スクリーン１０の遊端に取り付けている支持バー１６と、その支持バー１６に連結しているギヤードケーブル１７と、窓枠５の四隅において隣り合う辺間、すなわちドラム１１を配置した窓３の辺およびその辺に隣り合わせる辺間に掛け渡している四本の円弧形状のガイドレール１８と、ギヤードケーブル１７に噛合するスプロケット１９と、そのスプロケット１９に連結しているギヤードモータ（駆動手段）２０とを有している。スプロケット１９およびギヤードモータ２０は窓枠５内に配置している。
【００２９】
支持バー１６は、その一端がスクリーン１０の遊端に沿って当該スクリーン１０の周縁を形成する円弧の中心点Ｏの位置まで延びており、その支持バー１６の一端は、スクリーン１０の扇形の前記中心点Ｏの位置に配置している支持具２１に揺動自在に支持している。その支持具２１は窓枠５内に取り付けている。各ドラム１１は、その小径側がスクリーン１０の前記中心点Ｏ側に位置するように配置している。また、ドラム１１の仮想軸線２６は、図３に示すように、スクリーン１０の前記中心点Ｏを通っている。
【００３０】
各ガイドレール１８は、前記中心点Ｏを中心とする仮想円に沿って配置している。また、各ガイドレール１８は、図６に示すように、断面四角形状の中空を有しており、前面にはガイドレール１８に沿って延びる開口２２を有している。各ガイドレール１８の両端面はそれぞれ開口している。ギヤードケーブル１７は、ガイドレール１８の中空内を通って、その中空内に配置している連結ブロック２３に連結している。連結ブロック２３は、ガイドレール１８の中空の断面形状に合わせて四角柱状に形成しており、ガイドレール１８の中空内をスライド移動自在になっている。連結ブロック２３の前面にはピン２４を設けている。
【００３１】
ピン２４は、ガイドレール１８の開口２２からガイドレール１８の前方へ突出している。支持バー１６の長さ方向の中間には、図４および図６に示すように、その支持バー１６の長さ方向に延びている長孔２５を形成しており、連結ブロック２３のピン２４の先端部が、支持バー１６の長孔２５に、支持バー１６の長さ方向に相対移動可能に貫通している。それにより、ケーブル１７が連結ブロック２３を介して支持バー１６に連結される。連結ブロック２３のピン２４の先端には、ナット２８が締め込まれており、それによってピン２４が支持バー１６の長孔２５から抜け出ることを防止している。
【００３２】
各ガイドレール１８の一方の端面には、図１に示すように、ギヤードケーブル１７をスプロケット１９（ギヤードモータ２０）に導くとともにギヤードケーブル１７の遊端側を収容するケーブルチューブ２７を接続している。そのケーブルチューブ２７の一端は、ガイドレール１８の端面の開口に接続しており、ギヤードケーブル１７は、ケーブルチューブ２７内および前述のガイドレール１８の中空内を通っている。
【００３３】
そして、例えば操作スイッチ（図示せず）での操作によってギヤードモータ２０を駆動することで、ギヤードケーブル１７がケーブルチューブ２７内に退入駆動され、それに伴って支持バー１６がギヤードケーブル１７側に引っ張られて、スクリーン１０がドラム１１から扇状に繰り出される（図３および図４の状態）。それにより、窓３がスクリーン１０で覆われて遮光される。
【００３４】
前記操作スイッチは、ドラム１１からのスクリーン１０の繰り出し量を任意に調節できるようになっており、例えば外光に合わせてドラム１１からのスクリーン１０の繰り出し量を設定することができる。なお、図３は、四つのスクリーン１０によって、窓枠５から露出している透明ガラス７・８の全面をほぼ覆った全閉状態を示している。その状態では、スクリーン１０の一部が重なっている。
【００３５】
前記四つのスクリーン１０が全閉駆動される際には、図５に示すように、前側の透明ガラス８に臨む左右のスクリーン１０ａ・１０ｂの支持バー１６ａ・１６ｂどうしが接近し（図５の仮想線図参照）、次いで突き合わされた全閉状態になる（図５の実線図参照）。同様に後ろ側の透明ガラス７に臨む上下のスクリーン１０ｃ・１０ｄの支持バー１６ｃ・１６ｄどうしが接近し（図５の仮想線図参照）、次いで突き合わされた全閉状態になる（図５の実線図参照）。
【００３６】
その全閉状態では、左右のスクリーン１０ａ・１０ｂと上下のスクリーン１０ｃ・１０ｄとがほぼ隙間なく前後に重なっており、それによって遮光性を高めている。また、例えば、左右のスクリーン１０ａ・１０ｂの支持バー１６ａ・１６ｂどうしが前後にずれ、上下のスクリーン１０ｃ・１０ｄの支持バー１６ｃ・１６ｄどうしが前後にずれるように構成した場合よりも、支持バー１６ａ・１６ｂ・１６ｃ・１６ｄの配置用のスペースの前後幅を小さくできる。
【００３７】
各スクリーン１０は、例えば任意の色を施されるようになっており、各スクリーン１０の色を変えた場合には、スクリーン１０の繰り出したときに各スクリーン１０自体の色およびスクリーン１０どうしが重なることによる混色によって、模様が形成されるようになっている。
【００３８】
スクリーン１０を繰り出している状態では、ギヤードモータ２０の回転がロックされており、例えば操作スイッチでの操作によって前記ロックを解除したときには、ドラム１１は、内蔵のねじりコイルバネの付勢力によって回転して、スクリーン１０を巻き取る（図１の状態）。
【００３９】
図３および図４では、四つのスクリーン１０を同時に繰り出す場合を示しているが、前記操作スイッチは、四つのスクリーン１０のうち、任意の個数および位置のスクリーン１０の繰り出しを設定できるように構成している。
【００４０】
このように本発明は、例えば操作スイッチでスクリーン１０の繰り出しを設定することで、図４に示すように窓３の中央から採光する一方で、窓３の周辺を遮光することができ、それによって従来とは異なる遮光を行うことができる。加えて、例えば図３に示すように、スクリーン１０どうしの重なりなどによる模様を形成することができ、建物の意匠効果を向上させることができる。
【００４１】
（第２実施例）  本発明に係る遮光スクリーン装置の第２実施例を図７および図８に基づいて説明する。第２実施例の遮光スクリーン装置は、図７および図８に示すように、窓３の上下の対峙する二辺のみにドラム１１をそれぞれ配置しており、そのドラム１１に巻き付けられた扇形のスクリーン１０をそれぞれ繰り出すための二つの駆動機構１２を有している。その他の構成については第１実施例と同様であるため、同一機能のものには同一符号を付して説明を省略する。
【００４２】
第２実施例でも、従来とは異なる遮光を行うことができる。加えて、例えば図８に示すようにスクリーン１０どうしの重なりなどによる模様を形成することができ、建物の意匠効果を向上させることができる。なお、第２実施例でも、操作スイッチは、両スクリーン１０・１０を繰り出させ、または二つのスクリーン１０・１０のうち、いずれか一方のスクリーン１０のみを繰り出させることができる。
【００４３】
前記実施例では、支持バー１６の長孔２５に連結ブロック２３のピン２４を係合させることで、例えば製造誤差によって支持バー１６とガイドレール１８とが適正な位置関係からずれても、連結ブロック２３のピン２４が支持バー１６の長さ方向に相対移動して前記ずれを吸収するが、ギヤードケーブル１７と支持バー１６とを図９および図１０に示す連結機構３０によって連結しても、前記ずれを吸収することができる。
【００４４】
すなわち、この実施例の連結機構３０では、ギヤードケーブル１７の一端を連結していてガイドレール１８に沿って移動可能なケーブルブロック３１と、一端（図１０では右側）をケーブルブロック３１に揺動自在に取り付けているとともに他端（図１０では左側）を支持バー１６に揺動自在に取り付けている棒状のロッド３３とを有している。
【００４５】
具体的には、ロッド３３の一端がピン３４を介してケーブルブロック３１の前面に揺動自在に取り付けられており、そのロッド３３の他端は、ピン３５を介して支持バー１６に揺動自在に取り付けられている。詳しくは、前記ピン３５は、ロッド３３の他端の前面に設けられており、支持バー１６の長さ方向の中間に設けた孔３６を通したのちに、当該ピン３５の先端にナット３７が締め込まれることで、支持バー１６に取り付けられる。
【００４６】
これにより、例えば製造誤差によって支持バー１６とガイドレール１８とが適正な位置関係からずれても、ロッド３３の揺動によって前記ずれを吸収することができる。
【００４７】
本発明の遮光スクリーン装置を配置した窓３を建物の外壁２に上下左右に並べることで、各ドラム１１から繰り出されたスクリーン１０によって窓３により複雑な模様を形成することができ、建物の意匠効果をより向上させることができる。
【００４８】
前記各実施例では、ギヤードケーブル１７を連結ブロック２３に連結しているが、例えばスプロケット１９などと噛合不能なケーブル（ワイヤロープ）を連結ブロック２３に連結してもよい。その場合、ケーブルは、例えば窓枠５内に配置したリールに巻き取られるようにしておき、そのリールにモータを連結することで、そのモータを駆動してドラム１１からスクリーン１０を繰り出すことができる。
【符号の説明】
【００４９】
３  窓
９  折り目
１０  スクリーン
１１  ドラム
１２  駆動機構
１５  補強部材
１６  支持バー
１７  ギヤードケーブル
１８  ガイドレール
１９  スプロケット
２０  ギヤードモータ
２２  開口
２３  連結ブロック
２４  ピン
２５  長孔
３０  連結機構
３１  ケーブルブロック
３３  ロッド
Ｏ  スクリーンの扇形の周縁を形成する円弧の中心点
【図１】
2012031721.tif 000003
【図２】
2012031721.tif 000004
【図３】
2012031721.tif 000005
【図４】
2012031721.tif 000006
【図５】
2012031721.tif 000007
【図６】
2012031721.tif 000008
【図７】
2012031721.tif 000009
【図８】
2012031721.tif 000010
【図９】
2012031721.tif 000011
【図１０】
2012031721.tif 000012